(57)【要約】【課題】提供される香りの精度を高めることが可能な香料保持体、および、香り提供装置を提供する。【解決手段】香り提供装置は、香料を保持する香料保持シートから気化抑制シートを離すことにより香料の気化の抑制を解除して香りを提供する提供部と、香りを提供した香料保持シートに対し香料のさらなる気化を抑える抑止部と、提供部から抑止部へ香料保持シートを搬送する搬送部と、を備える。香料保持体は、帯状に形成されて香料が配置される貼り付け面を有する香料保持シートと、貼り付け面に剥離可能な状態で貼り付けられて香料を被う気化抑制シートと、を備える。【選択図】図３
2014136125.tif 000002
【特許請求の範囲】
【請求項１】
香料を保持する香料保持シートから気化抑制シートを離すことにより前記香料の気化の抑制を解除して香りを提供する提供部と、
前記香りを提供した前記香料保持シートに対し香料のさらなる気化を抑える抑止部と、
前記提供部から前記抑止部へ前記香料保持シートを搬送する搬送部と、
を備える香り提供装置。
【請求項２】
前記搬送部は、
１つの方向に沿って延びる帯状をなす前記香料保持シートを前記提供部から前記抑止部へ掛け渡し、前記香料保持シートの延びる方向に沿って前記提供部から前記抑止部へ前記香料保持シートを搬送する
請求項１に記載の香り提供装置。
【請求項３】
前記提供部は、
前記気化抑制シートが貼り付けられた前記香料保持シートを搬入し、前記搬送部が前記香料保持シートを搬送するときに、前記気化抑制シートを前記香料保持シートから剥がす剥離部を備える
請求項１または２に記載の香り提供装置。
【請求項４】
前記提供部は、
折り重ねられた１つのシート状をなす香料保持体を搬入し、前記香料保持体にて相互に対向する２つのシート部分が前記香料保持シートと前記気化抑制シートとであり、
前記搬送部が前記香料保持シートを搬送するときに前記香料保持体を折り目で展開する展開部を備える
請求項１から３のいずれか１つに記載の香り提供装置。
【請求項５】
前記気化抑制シートが、第１の気化抑制シートとして設定され、
前記抑止部は、
第２の気化抑制シートを前記香料保持シートに被せることによって前記香料保持シートからの香料の気化を抑える
請求項１〜４のいずれか１つに記載の香り提供装置。
【請求項６】
前記抑止部は、
前記提供部から前記第１の気化抑制シートを搬入して前記第１の気化抑制シートを前記第２の気化抑制シートとして用いる
請求項５に記載の香り提供装置。
【請求項７】
前記抑止部は、
外部から遮蔽された容器を備え、
前記搬送部は、
前記香りを提供した前記香料保持シートを前記容器に搬入する
請求項１〜６のいずれか１つに記載の香り提供装置。
【請求項８】
前記提供部は、
前記香料保持シートを加熱する加熱部をさらに備える
請求項１〜７のいずれか１つに記載の香り提供装置。
【請求項９】
帯状に形成されて香料が配置される貼り付け面を有する香料保持シートと、
前記貼り付け面に剥離可能な状態で貼り付けられて前記香料を被う気化抑制シートと、
を備える香料保持体。
【請求項１０】
前記香料保持シートと前記気化抑制シートとは、
折り目を介して一体に形成されて前記折り目にて相互に折り重ねられている
請求項９に記載の香料保持体。
【発明の詳細な説明】
【技術分野】
【０００１】
本開示の技術は、香料を保持する香料保持体、および、香料保持体を用いて香りを提供する香り提供装置に関する。
【背景技術】
【０００２】
従来から、複数の種類の香りを各別に提供する香り提供装置が知られている。特許文献１に記載の香り提供装置は、ウェブサーバから送信される情報に基づいて香りの種類を決定する。非特許文献１に記載の香り提供装置は、香りの種類の決定を映像の切り替わりに同期させて、動画の場面に応じた香りを提供する。
【先行技術文献】
【特許文献】
【０００３】
【特許文献１】特開２０１０−２５７１２６号公報
【非特許文献】
【０００４】
【非特許文献１】月刊ディスプレイ  ２０１０年９月号（第１６巻９号・通巻１８４号）、第７２頁〜第７９頁（ＩＳＳＮ  １３４１−３９６１）
【発明の概要】
【発明が解決しようとする課題】
【０００５】
上述の香り提供装置に用いられる香りを提供する方法の１つでは、容器内に空気を入れる導入管と、容器から空気を出す導出管とが接続された香料容器が用いられる。そして、導入管から香料容器に送り込まれた空気は、容器内の液体香料の液面上を通って導出管に入り、気化した香料と共に導出管から出る。しかしながら、この方法では、導出管を通る香料が導出管の内部に付着するため、付着した香料が意図しないタイミングで導出管から放出されて、意図しない香りが発生することがある。
【０００６】
本開示の技術は、提供される香りの精度を高めることが可能な香料保持体、および、香り提供装置を提供することを目的とする。
【課題を解決するための手段】
【０００７】
本開示の技術における香り提供装置の一態様は、香料を保持する香料保持シートから気化抑制シートを離すことにより前記香料の気化の抑制を解除して香りを提供する提供部と、前記香りを提供した前記香料保持シートに対し香料のさらなる気化を抑える抑止部と、前記提供部から前記抑止部へ前記香料保持シートを搬送する搬送部とを備える。
【０００８】
上記構成によれば、香りを提供する前の香料保持シートでは、香料の気化が気化抑制シートによって抑えられ、香りを提供した後の香料保持シートでは、さらなる香料の気化が抑止部への搬送によって抑えられる。それゆえに、香りが提供される前と香りが提供された後との両方で、香料の不要な気化が抑えられるため、提供される香りの精度が高められる。
【０００９】
本開示の技術における香り提供装置の他の態様では、前記搬送部は、１つの方向に沿って延びる帯状をなす前記香料保持シートを前記提供部から前記抑止部へ掛け渡し、前記香料保持シートの延びる方向に沿って前記提供部から前記抑止部へ前記香料保持シートを搬送する。
【００１０】
上記構成によれば、１つの方向に沿って延びる香料保持シートが提供部と抑止部との間の搬送の経路に沿って掛け渡されるため、香料保持シートを搬送の経路に沿って搬送することが容易となる。
【００１１】
本開示の技術における香り提供装置の他の態様では、前記提供部は、前記気化抑制シートが貼り付けられた前記香料保持シートを搬送し、前記搬送部が前記香料保持シートを搬送するときに、前記気化抑制シートを前記香料保持シートから剥がす剥離部と、を備える。
【００１２】
上記構成によれば、気化抑制シートの剥離と香料保持体の搬送とが同時に進行するため、これらが各別に進行する構成と比べて、香りの提供に際しての応答が早められる。
本開示の技術における香り提供装置の他の態様では、前記提供部は、折り重ねられた１つのシート状をなす香料保持体を搬入し、前記香料保持体にて相互に対向する２つのシート部分が前記香料保持シートと前記気化抑制シートとである。そして、前記搬送部が前記香料保持シートを搬送するときに前記香料保持体を折り目で展開する展開部を備える。
【００１３】
上記構成によれば、シートの展開と香料保持シートの搬送とが同時に進行するため、これらが各別に進行する構成と比べて、香りの提供に際しての応答が早められる。
本開示の技術における香り提供装置の他の態様では、前記気化抑制シートが、第１の気化抑制シートとして設定され、前記抑止部は、第２の気化抑制シートを前記香料保持シートに被せることによって前記香料保持シートからの香料の気化を抑える。
【００１４】
上記構成によれば、香りを提供した後の香料保持シートでは、第２の気化抑制シートが被せられることによってさらなる香料の気化が抑えられる。
本開示の技術における香り提供装置の他の態様では、前記抑止部は、前記提供部から前記第１の気化抑制シートを搬入して前記第１の気化抑制シートを前記第２の気化抑制シートとして用いる。
【００１５】
上記構成によれば、提供部で離された第１の気化抑制シートが第２の気化抑制シートとして再利用されるため、気化の抑制に必要な気化抑制シートの数を削減することができる。
【００１６】
本開示の技術における香り提供装置の他の態様では、前記抑止部は、外部から遮蔽された容器を備え、前記搬送部は、前記香りを提供した前記香料保持シートを前記容器に搬入する。
【００１７】
上記構成によれば、香りを提供した香料保持シートからの香料のさらなる気化を抑え、且つ、香りを提供した香料保持シートを容器に回収することができる。
本開示の技術における香り提供装置の他の態様では、前記提供部は、前記香料保持シートを加熱する加熱部をさらに備える。
【００１８】
上記構成によれば、香料保持シートが加熱されることによって、香料の気化が促進されるため、香りの提供の効率が高められる。
本開示の技術における香料保持体の一態様は、帯状に形成されて香料が配置される貼り付け面を有する香料保持シートと、前記貼り付け面に剥離可能な状態で貼り付けられて前記香料を被う気化抑制シートと、を備える。
【００１９】
上記構成によれば、香りを提供する前の香料保持シートでは、香料の気化が気化抑制シートによって抑えられる。それゆえに、香りが提供される前では、香料の不要な気化が抑えられるため、提供される香りの精度が高められる。
【００２０】
本開示の技術における香料保持体の他の態様では、前記香料保持シートと前記気化抑制シートとは、折り目を介して一体に形成されて前記折り目にて相互に折り重ねられている。
【００２１】
上記構成によれば、香料保持シートと気化抑制シートとが１つのシートによって構成されるため、これらが各別のシートによって構成される場合に比べて、香料保持シートを構成する部材の数が削減される。
【発明の効果】
【００２２】
本開示の技術によれば、香りが提供される前に意図しない香りが漏れることが抑えられるため、提供される香りの精度を高めることができる。
【図面の簡単な説明】
【００２３】
【図１】本開示の技術における第１の実施形態の香料保持体の斜視構造を示す斜視図。
【図２】第１の実施形態における香料保持体の断面構造を示す断面図。
【図３】第１の実施形態における香り提供装置の斜視構造をそれに適用される香料保持体と共に示す斜視図。
【図４】第１の実施形態における香り提供装置の断面構造を示す断面図。
【図５】第１の実施形態における香り提供装置の電気的構成を示すブロック図。
【図６】第１の実施形態における香り提供装置での気化抑制シートの剥離状態と貼付状態とを示す図。
【図７】第２の実施形態における香り提供装置の断面構造をそれに適用される香料保持体と共に示す断面図。
【図８】第３の実施形態における香り提供装置の断面構造をそれに適用される香料保持体と共に示す断面図。
【図９】第３の実施形態における香り提供装置での気化抑制シートの剥離状態と貼付状態とを示す図。
【図１０】第４の実施形態における香料保持体の斜視構造を示す斜視図であって香料保持体が展開された状態を示す図。
【図１１】第４の実施形態における香り提供装置の構成をそれに適用される香料保持体と共に示す斜視図。
【図１２】第５の実施形態における香料保持体の斜視構造を示す斜視図。
【図１３】第５の実施形態における香料保持体の断面構造を示す断面図。
【図１４】第５の実施形態における香り提供装置にて気化抑制シートの剥離状態と貼付状態とを示す図。
【図１５】変形例における香料保持体の斜視構造を示す斜視図。
【発明を実施するための形態】
【００２４】
（第１の実施形態）
図１〜図６を参照して、香料保持体、および、香り提供装置の第１の実施形態について説明する。なお、第１の実施形態の香り提供装置は、音声付動画の進行に応じて、予め設定された香りを提供する装置である。まず、香り提供装置による香りの提供に用いられる香料保持体の構成について、図１および図２を参照して説明する。
【００２５】
図１に示されるように、香料保持体１０にて、液体香料を保持する香料保持シート１１には、液体香料の保持される貼り付け面に、気化抑制シート１２が貼り付けられている。香料保持シート１１では、帯状に形成された基材１３の貼り付け面に、複数の香料吸収体１４が形成されている。基材１３は、例えば、ポリエチレンテレフタラート（ＰＥＴ）製のフィルムから形成される。基材１３の延びる方向と直交する方向における基材１３の幅は、例えば１０ｍｍに形成されている。気化抑制シート１２は、ガスバリア性を有するフィルムである。気化抑制シート１２は、例えば、ＰＥＴ製のフィルムの両面に酸化ケイ素（ＳＩＯｘ）の薄膜が形成されたフィルムである。気化抑制シート１２は、基材１３の貼り付け面に剥離可能に貼り付けられている。
【００２６】
基材１３の貼り付け面には、貼り付け面にて窪んだ部分である複数の収納部１３ａが、基材１３の延びる方向に沿って間隔を空けて配置されている。複数の収納部１３ａの各々は、基材１３の延びる方向に沿って延びる有底の矩形孔であり、複数の収納部１３ａの周囲のうち、基材１３の延びる方向での一端部には、位置検出用マーク１５が形成されている。位置検出用マーク１５は、複数の収納部１３ａの各々の位置を光学的に検出するための指標である。
【００２７】
図２に示されるように、収納部１３ａの内部には、基材１３の延びる方向に沿って延びる矩形板状をなす香料吸収体１４が固定されている。香料吸収体１４は、液体香料を吸収した不織布であり、香料吸収体１４の厚さは、例えば０．２ｍｍである。複数の香料吸収体１４の各々には、相互に異なる種類の液体香料が吸収されている。基材１３の延びる方向における香料吸収体１４の長さは、例えば３０ｍｍであり、基材１３の延びる方向と直交する方向における香料吸収体１４の幅は、例えば６ｍｍである。香料保持体１０では、所定の音声付動画の進行に応じて提供される香りの順番に合わせて複数の香料吸収体１４の各々が並べられている。
【００２８】
そして、香料保持シート１１から気化抑制シート１２が剥がされると、香料吸収体１４が空気中に露出して香料吸収体１４から香料が気化する。一方で、香料保持シート１１に気化抑制シート１２が貼り付けられた状態では、複数の香料吸収体１４の各々は、基材１３によって相互に隔離され、且つ、気化抑制シート１２によって外気から遮蔽される。なお、香料吸収体１４は収納部１３ａの内部に配置されるため、香料吸収体１４が平面上に配置される構成に比べて、香料吸収体１４における香料の吸収量が高められる。そして、香料の吸収量が高い場合であっても、基材１３と気化抑制シート１２との間の密着性を保ち、香料吸収体１４を外気から適切に隔離することができる。
【００２９】
図３および図４を参照して香り提供装置の構成について説明する。
図３に示されるように、香り提供装置は、香料保持シート１１から気化抑制シート１２を剥がす剥離部２０と、気化抑制シート１２が剥がされた香料保持体１０に被覆シート１６を貼り付ける貼り付け部２１と、香料保持シート１１を回収する回収部２２とを備える。これら剥離部２０、貼り付け部２１、および、回収部２２は、１つの方向に沿って延びる板状に形成された載置台２３に連結されている。
【００３０】
被覆シート１６は、ガスバリア性を有するフィルムであり、気化抑制シート１２と同じ材料から形成されている。香料保持体１０は、基材１３の貼り付け面が上側を向く状態で、載置台２３の延びる方向に沿って載置台２３に配置されている。香料保持体１０は、剥離部２０と貼り付け部２１と回収部２２との間に掛け渡されている。
【００３１】
図４に示されるように、剥離部２０は、載置台２３の延びる方向にて載置台２３の端部に連結されている。剥離部２０に内蔵された剥離機構は、例えば、気化抑制シート１２を巻き取る剥離ローラー２０Ｒや剥離ローラー２０Ｒを回転させる機構などから構成されている。剥離部２０では、剥離ローラー２０Ｒが回転するとき、剥離ローラー２０Ｒと載置台２３との間を通過する香料保持シート１１から気化抑制シート１２が剥がされて、剥がされた気化抑制シート１２が剥離ローラー２０Ｒに巻き取られる。
【００３２】
貼り付け部２１は、載置台２３の延びる方向にて載置台２３における略中央に連結され、剥離部２０から間隔をあけて配置されている。貼り付け部２１に内蔵された貼付機構は、被覆シート１６を供給する貼付ローラー２１Ｒや貼付ローラー２１Ｒを回転させる機構などから構成されている。貼り付け部２１では、貼付ローラー２１Ｒが回転するとき、貼付ローラー２１Ｒに巻き付けられている被覆シート１６が香料保持シート１１に押し付けられて、貼付ローラー２１Ｒと載置台２３との間を通過する香料保持シート１１に被覆シート１６が貼り付けられる。
【００３３】
剥離部２０と貼り付け部２１との間には、位置検出部２４が設けられている。位置検出部２４は、ＣＣＤカメラなどから構成される。位置検出部２４は、載置台２３上で搬送される香料保持体１０から位置検出用マーク１５を読み取り、位置検出部２４の下方に位置検出用マーク１５が配置されているか否かを検出する。
【００３４】
載置台２３において剥離部２０と貼り付け部２１との間隔は、基材１３の延びる方向における香料吸収体１４の長さと同程度に設定されている。剥離部２０と貼り付け部２１の間では、香料保持シート１１にて香料吸収体１４が露出するため、香料吸収体１４から香料が気化して香りが外部へ提供される。
【００３５】
回収部２２は、載置台２３の延びる方向での載置台２３の端部のうち剥離部２０とは反対側の端部に連結されている。回収部２２は、載置台２３の端部に繋がる回収室２２Ａと、回収室２２Ａの内部に設けられた回収機構とを備えている。回収機構は、香料保持体１０を巻き取る回収ローラー２２Ｒ、回収ローラー２２Ｒを回転させる機構や駆動源などから構成されている。回収部２２では、回収ローラー２２Ｒが回転するとき、載置台２３の端部に到達した香料保持シート１１から順に、被覆シート１６が貼り付けられた状態で、香料保持シート１１が回収ローラー２２Ｒに巻き取られる。そして、被覆シート１６が貼り付けられた香料保持シート１１が回収室２２Ａに回収される。
【００３６】
香料保持体１０は、回収ローラー２２Ｒの回転力を動力として、載置台２３上を剥離部２０から貼り付け部２１を経由して回収部２２へ搬送される。このとき、香料保持体１０では、複数の香料吸収体１４の各々が、搬送方向の前方側から提供される香りの順に並べられる。なお、香り提供装置には、図示しないベルトや留め具などが設けられており、香り提供装置は、人体に装着された状態で使用される、あるいは、椅子などに取り付けられた状態で使用される。
【００３７】
図５を参照して、香り提供装置の電気的な構成について説明する。
図５に示されるように、香り提供装置が備える制御部４０は、位置検出部２４および再生装置４２から受信される情報に基づいてモーター駆動部４１に制御信号を出力する。
【００３８】
モーター駆動部４１には、回収部２２の駆動源であるモーターＭが接続されている。モーター駆動部４１は、制御部４０から入力された制御信号に基づいてモーターＭの駆動電流を生成し、その駆動電流をモーターＭに出力する。モーターＭは、モーター駆動部４１から入力される駆動電流によって駆動されて回収ローラー２２Ｒを回転する。
【００３９】
制御部４０は、外部の再生装置４２から送信される香り特定情報を受信する。香り特定情報は、再生装置４２にて再生される音声付動画の進行時刻に応じて規定されている情報であり、香り提供装置から所定の香りが提供される時刻を規定する情報である。また、制御部４０は、位置検出部２４が位置検出用マーク１５を検出したことを位置検出情報として位置検出部２４から受信する。
【００４０】
制御部４０は、香り特定情報と位置検出情報とに基づいて、回収部２２が備えるモーターの駆動タイミングと停止タイミングとを算出する。制御部４０は、算出された駆動タイミングと停止タイミングとに基づいて、モーターＭの制御信号をモーター駆動部４１に出力する。この際に、香り特定情報によって規定される進行時刻に合わせて、次の位置検出用マーク１５が位置検出部２４によって検出されるまで、制御部４０はモーターＭを駆動する。モーターＭが駆動されると、香料保持シート１１が回収ローラー２２Ｒに巻き取られ、香料保持シート１１が載置台２３に沿って搬送される。そして、剥離部２０と貼り付け部２１との間に配置される香料吸収体１４は一つ分ずらされる。これによって、制御部４０は、次に提供される香りに対応した香料吸収体１４を、規定された進行時刻に、剥離部２０と貼り付け部２１との間に配置させ、香り特定情報によって規定される進行時刻に、所定の香りを提供する。
【００４１】
図６を参照して、第１の実施形態における香り提供装置の作用について説明する。なお、図６では、第１の気化抑制シートである気化抑制シート１２の剥離状態と、第２の気化抑制シートである被覆シート１６の貼付状態とを示す。
【００４２】
図６に示されるように、剥離部２０に搬送される前の香料保持体１０においては、香料吸収体１４が気化抑制シート１２で覆われているため、香料吸収体１４から香料が気化することが抑えられている。剥離部２０にて気化抑制シート１２が剥がされると、香料保持シート１１にて香料吸収体１４が露出される。露出された香料吸収体１４からは、香料が気化する。次いで、香料保持シート１１が貼り付け部２１に搬送されると、被覆シート１６が貼り付けられ、これによって、香料吸収体１４における香料のさらなる気化が抑えられる。
【００４３】
この際に、剥離部２０と貼り付け部２１との間隔は、香料吸収体１４の１つ分の長さと同程度に設定される。そのため、剥離部２０と貼り付け部２１の間に配置された１つの香料吸収体１４のみが、気化抑制シート１２もしくは被覆シート１６で覆われない状態となる。結果として、剥離部２０と貼り付け部２１の間に配置された香料吸収体１４のみから香料の気化が促進され、その他の香料吸収体１４からの香料の気化は抑えられる。
【００４４】
また、従来のように、液体香料の収容された香料容器を用いて香りを発生させる場合には、気化に必要な液面の面積を確保できる大きさの香料容器と香料容器への空気の流路とが液体香料の数だけ必要となるため、装置が大型化せざるを得ない。これに対して、第１の実施形態の香り提供装置では、空気の流路となる配管や空気の輸送量を制御する制御弁などを香料ごとに設ける必要がないため、香り提供装置としての小型化が可能となる。
【００４５】
また、従来、香りを提供する他の方法では、内部に香料を保持した微小な粒子を含む塗料が台紙に塗布され、使用者が台紙上の塗布箇所を擦って粒子を破壊することによって、香りが発生する。こうした方法でも、既に擦られた塗布箇所から香りが発生し続けて、意図しないタイミングで意図しない香りが提供されることがある。これに対し、第１の実施形態では、上述のように提供される香りの精度が高められるとともに、剥離部２０と貼り付け部２１の間に配置される香料吸収体１４は、香り特定情報に基づいて制御部４０によって制御されるため、使用者による操作が削減される。したがって、香りの提供に際しての煩雑さが軽減されるとともに、香りの提供の順番や提供の時刻の正確性も高められる。
【００４６】
なお、第１の実施形態では、剥離部２０、および、載置台２３のうち剥離部２０と貼り付け部２１との間の部分によって提供部が構成されている。また、貼り付け部２１によって抑止部が構成され、回収ローラー２２Ｒ、および、回収ローラー２２Ｒの駆動源によって搬送部が構成されている。
【００４７】
以上説明したように、第１の実施形態によれば、以下に列挙する効果が得られる。
（１）香りを提供する前の香料吸収体１４からの香料の気化と、香りを提供した後の香料吸収体１４からの香料の気化とが抑えられるため、提供される香りの精度が高められる。
【００４８】
（２）複数の香料吸収体１４の各々が基材１３の延びる方向に沿って並べられるため、所定の順番に香りを提供することが簡易な構成で実現できる。
（３）香りを提供した後の香料吸収体１４からの香料の気化は、気化抑制シート１２とは異なる被覆シート１６の貼り付けによって抑えられる。それゆえに、香りを提供した後の香料の気化が適切に抑えられる。
【００４９】
（第２の実施形態）
図７を参照して、香料保持体、および、香り提供装置の第２の実施形態について説明する。なお、第２の実施形態は、貼り付け部が省略されることと抑止部の構成とが第１の実施形態とは主に異なる。そのため、以下では、第１の実施形態との相違点について主に説明する。
【００５０】
図７に示されるように、第２の実施形態の香り提供装置にて、回収室２２Ａの入口には、封止部２５が設けられている。封止部２５は、例えばゴムから形成され、回収室２２Ａの入口部分の開口全体を塞いでいる。載置台２３の延びる方向と直交する方向において、封止部２５の中央には、香料保持シート１１が通されるスリットが形成されている。スリットを通過した香料保持シート１１は、回収室２２Ａの内部に進入し、回収室２２Ａの内部の空気は、封止部２５によって回収室２２Ａの外部へ漏れ出ることが抑えられる。剥離部２０と回収部２２との間隔は、基材１３の延びる方向における香料吸収体１４の長さと同程度に設定される。
【００５１】
香料保持体１０の基材１３には、香料保持シート１１の貼り付け面とは反対側の面に、位置検出用マーク１５が形成されている。位置検出用マーク１５は、香料吸収体１４ごとに設けられている。位置検出部２４は、載置台２３に連結されて、位置検出用マーク１５が位置検出部２４の直上に配置されているか否かを検出する。
【００５２】
そして、気化抑制シート１２が剥離部２０にて剥がされると、香料保持シート１１は、香料吸収体１４が露出した状態で、被覆シート１６が貼り付けられることなく、封止部２５のスリットを通って回収室２２Ａに回収される。こうした香料保持シート１１の搬送は、回収部２２における回収ローラー２２Ｒの回転力を動力として行われる。
【００５３】
この際に、剥離部２０に搬送される前の香料保持体１０においては、香料吸収体１４から香料が気化することが気化抑制シート１２によって抑えられる。香料保持シート１１が収容される回収室２２Ａの内部においては、気化抑制シート１２が剥がされた香料保持シート１１から香料の残部が気化する。一方で、香料吸収体１４から気化した香料を含む回収室２２Ａの内部の空気は、封止部２５によって回収室２２Ａの外部に漏れ出ることが抑えられる。それゆえに、剥離部２０と回収部２２の間に配置された１つの香料吸収体１４からのみ香りが提供されるため、提供される香りの精度を高めることが可能となる。また、露出された香料吸収体１４からの香りは、被覆シート１６が用いられることなく、香料保持体１０の回収とともに外部に漏れ出すことが抑えられる。
【００５４】
なお、第２の実施形態では、剥離部２０、および、載置台２３のうち剥離部２０と回収部２２との間の部分によって提供部が構成されている。また、回収室２２Ａ及び封止部２５によって抑止部が構成され、回収ローラー２２Ｒ、および、回収ローラー２２Ｒの駆動源によって搬送部が構成されている。
【００５５】
以上説明したように、第２の実施形態によれば、上記（１），（２）に準じた効果に加え、以下の効果が得られる。
（４）香料保持シート１１に新たなシートが貼り付けられることなく、香りを提供した後の香料吸収体１４からの香りの発生が抑えられる。また、香料吸収体１４から香りが漏れることを抑えつつ、香料保持体１０を回収することができる。
【００５６】
（第３の実施形態）
図８および図９を参照して、香料保持体、および、香り提供装置の第３の実施形態について説明する。なお、第３の実施形態は、香料保持体、提供部、および、抑止部の構成が第１の実施形態とは主に異なる。そのため、以下では、第１の実施形態との相違点について主に説明する。
【００５７】
図８に示されるように、第３の実施形態の香料保持体１０では、気化抑制シート１２が、第１の実施形態における基材１３と同様の構成を有し、気化抑制シート１２にも、香料吸収体１４が取り付けられている。香料保持シート１１と気化抑制シート１２とは、香料吸収体１４が取り付けられた面同士で貼り付けられている。香料保持シート１１と気化抑制シート１２とでは、相互に対向する香料吸収体１４において、同じ種類の液体香料が吸収されている。各々のシート１１，１２に取り付けられた香料吸収体１４からの香料の気化は、２つのシート１１，１２が相互に貼り合わされることによって抑えられる。
【００５８】
香り提供装置には、提供部を構成する分離部２６と抑止部を構成する接着部２７とが設けられている。
分離部２６に内蔵される分離機構は、表面に粘着性を有する２つの粘着ローラー２６Ｒａ，２６Ｒｂ、補助軸２６Ａ、および、粘着ローラー２６Ｒａ，２６Ｒｂを回転させる機構などから構成される。２つの粘着ローラー２６Ｒａ，２６Ｒｂは、各々の外周面を対向させた状態で上下方向に沿って隙間を空けて配置されている。補助軸２６Ａは、円柱形状に形成されて、粘着ローラー２６Ｒａ，２６Ｒｂよりも香料保持体１０の搬送方向の前方に配置されている。補助軸２６Ａの中心軸心と、粘着ローラー２６Ｒａ，２６Ｒｂの各々の中心軸心との距離は相互に等しい。
【００５９】
そして、香料保持体１０が２つの粘着ローラー２６Ｒａ，２６Ｒｂの間に通されるとき、香料保持体１０の通過に伴って、粘着ローラー２６Ｒａはその中心軸心を中心として右回りに回転し、粘着ローラー２６Ｒｂはその中心軸心を中心として左回りに回転する。このとき、粘着ローラー２６Ｒａ，２６Ｒｂの粘着力によって、香料保持シート１１は粘着ローラー２６Ｒａの周面に貼り付き、気化抑制シート１２は粘着ローラー２６Ｒｂの周面に貼り付く。結果として、香料保持シート１１から気化抑制シート１２が剥がされて香料吸収体１４が露出する。そして、香料保持シート１１は、補助軸２６Ａの周面のうち下側部分を滑りながら接着部２７に向けて搬送され、気化抑制シート１２は、補助軸２６Ａの周面のうち上側部分を滑りながら接着部２７に向けて搬送される。
【００６０】
この際に、分離部２６と接着部２７との間隔は、基材１３の延びる方向における香料吸収体１４の長さと同程度に設定されるため、分離部２６と接着部２７の間では、上下方向において相互に対向する一対の香料吸収体１４が露出し、露出された香料吸収体１４から香料が気化する。
【００６１】
接着部２７に内蔵される接着機構は、２つの接着ローラー２７Ｒａ，２７Ｒｂ、補助軸２７Ａ、および、接着ローラー２７Ｒａ，２７Ｒｂを回転させる機構などから構成される。２つの接着ローラー２７Ｒａ，２７Ｒｂは、各々の外周面を対向させた状態で上下方向に沿って隙間を空けて配置されている。補助軸２７Ａは、円柱形状に形成されて、接着ローラー２７Ｒａ，２７Ｒｂよりも香料保持体１０の搬送方向の後方に配置されている。補助軸２７Ａの中心軸心と、接着ローラー２７Ｒａ，２７Ｒｂの各々の中心軸心との距離は相互に等しい。
【００６２】
そして、分離部２６から搬出される香料保持シート１１は、補助軸２７Ａの周面のうち下側部分を滑りながら、接着ローラー２７Ｒａ，２７Ｒｂの間を通る。分離部２６から搬出される気化抑制シート１２は、補助軸２７Ａの周面のうち上側部分を滑りながら、接着ローラー２７Ｒａ，２７Ｒｂの間を通る。これによって、相互に離された香料保持シート１１と気化抑制シート１２とは、接着ローラー２７Ｒａ，２７Ｒｂの間で重ね合わされて、２つの接着ローラー２７Ｒａ，２７Ｒｂの間を通る。香料保持体１０の通過に伴って、接着ローラー２７Ｒａはその中心軸心を中心として右回りに回転し、接着ローラー２７Ｒｂはその中心軸心を中心として左回りに回転する。そして、香料保持シート１１と気化抑制シート１２とが２つの接着ローラー２７Ｒａ，２７Ｒｂによって相互に押し付けられることによって、香料保持シート１１と気化抑制シート１２とは、再び貼り合わされる。
【００６３】
接着部２７によって再び貼り合わされた香料保持体１０は、モーターによって回転される回収ローラー２２Ｒの回転力を動力として、回収ローラー２２Ｒの回転により回収ローラー２２Ｒに巻き取られる。そして、香料保持体１０が回収ローラー２２Ｒに巻き取られることによって、香料保持体１０は載置台２３に沿って分離部２６から接着部２７へ搬送される。
【００６４】
なお、第３の実施形態では、香料保持シート１１の貼り付け面とは反対側の面に、香料吸収体１４の各々に対応して位置検出用マーク１５が形成されている。位置検出部２４は、載置台２３に設けられて、香料吸収体１４が形成された側と反対側から位置検出用マーク１５の有無を検出する。
【００６５】
図９を参照して香り提供装置の作用について説明する。
図９に示されるように、分離部２６に搬送される前の香料保持体１０では、香料保持シート１１における香料吸収体１４が、気化抑制シート１２によって被われ、且つ、気化抑制シート１２における香料吸収体１４が、香料保持シート１１に被われている。これによって、分離部２６に搬送される前の香料保持体１０では、香料吸収体１４から香料が気化することが抑えられている。
【００６６】
次いで、分離部２６にて香料保持シート１１と気化抑制シート１２とが分離されると、香料保持シート１１と気化抑制シート１２とは、補助軸２６Ａと補助軸２７Ａとに挟まれる空間にて、上下方向の両側に分かれて搬送される。補助軸２６Ａと補助軸２７Ａとの間で搬送される間、香料保持シート１１と気化抑制シート１２との間隔は保たれる。そして、分離部２６と接着部２７との間では、香料保持シート１１と気化抑制シート１２との各々で香料吸収体１４が露出され、露出された香料吸収体１４からは、香料が気化する。
【００６７】
続いて、香料保持シート１１と気化抑制シート１２とが接着部２７に搬送されると、香料保持シート１１と気化抑制シート１２とが再び貼り合わされて、香料保持シート１１における香料吸収体１４からの香料の気化と、気化抑制シート１２における香料吸収体１４からの香料の気化とが抑えられる。
【００６８】
上述のように、分離部２６と接着部２７との間隔は、香料保持体１０の搬送方向において香料吸収体１４の１つ分の長さと同程度に設定されている。そのため、分離部２６と接着部２７との間では、相互に対向する一対の香料吸収体１４のみが露出される。結果として、提供部に配置された香料吸収体１４のみから香料の気化が促進され、その他の香料吸収体１４からの香料の気化が抑えられるため、提供される香りの精度が高められる。
【００６９】
また、香料保持シート１１は、香りを提供する機能と、気化抑制シート１２に設けられた香料吸収体１４からの香料の気化を抑える機能とを備える。気化抑制シート１２は、香料保持シート１１に設けられた香料吸収体１４からの香料の気化を抑える機能と、香りを提供する機能とを備える。それゆえに、香料保持シート１１にのみ香料が保持される構成と比べて、単位長さ当たりに保持することの可能な香料の量が高められる。
【００７０】
また、分離部２６によって剥がされた部材である気化抑制シート１２が香料保持シート１１に再び貼り付けられることによって、香料吸収体１４からの香料の気化が抑えられる。それゆえに、香料吸収体１４からの香料の気化を抑えるために必要な部材の数が削減される。
【００７１】
なお、第３の実施形態では、分離部２６、および、分離部２６と接着部２７との間の隙間によって提供部が構成されている。また、接着部２７によって抑止部が構成され、回収ローラー２２Ｒ、および、回収ローラー２２Ｒの駆動源によって搬送部が構成されている。
【００７２】
以上説明したように、第３の実施形態によれば、上記（１），（２）に準じた効果に加え、以下の効果が得られる。
（５）気化抑制シート１２に設けられた香料吸収体１４からの香料の気化を抑制する機能を香料保持シート１１が有するため、香料保持体１０の有する面が有効的に利用される。
【００７３】
（６）香料保持シート１１から剥がされた気化抑制シート１２が香りの提供後に再利用されるため、香料吸収体１４からの香料の気化を抑えるために必要な部材の数が削減される。
【００７４】
（第４の実施形態）
図１０および図１１を参照して、香料保持体、および、香り提供装置の第４の実施形態について説明する。なお、第４の実施形態は、香料保持体、提供部、および、抑止部の構成が第１の実施形態とは主に異なる。そのため、以下では、第１の実施形態との相違点について主に説明する。
【００７５】
図１０を参照して、香料保持体の構成について説明する。第４の実施形態においても、第３の実施形態と同様に、気化抑制シート１２が、第１の実施形態における基材１３と同様の構成を有し、気化抑制シート１２にも、香料吸収体１４が取り付けられている。
【００７６】
図１０に示されるように、香料保持シート１１の周縁のうち、香料保持シート１１の延在方向に沿って延びる１つの端辺は、気化抑制シート１２の周縁のうち、気化抑制シート１２の延在方向に沿って延びる１つの端辺と連結されている。香料保持シート１１と気化抑制シート１２との連結する部分が折り目となる状態で、香料保持シート１１に対して気化抑制シート１２が折り重ねられている。なお、香料保持体１０は、香料保持シート１１の基材１３と気化抑制シート１２とが一体に形成され、香料吸収体１４の形成後に二つ折りにされることによって形成される。
【００７７】
香料保持シート１１に対して気化抑制シート１２が折り重ねられた状態では、香料保持シート１１に設けられた香料吸収体１４と、気化抑制シート１２に設けられた香料吸収体１４とは相互に対向している。相互に対向する２つの香料吸収体１４の各々には、同じ種類の液体香料が吸収されている。折り重ねられた状態で、気化抑制シート１２は、香料保持シート１１の香料吸収体１４が形成された貼り付け面に貼り付けられている。そして、香料保持シート１１と気化抑制シート１２とが貼り合わされることによって、香料保持シート１１に設けられた香料吸収体１４から香料が気化することと、気化抑制シート１２に設けられた香料吸収体１４から香料が気化することが抑えられる。
【００７８】
図１１を参照して香り提供装置の構成について説明する。
図１１に示されるように、香り提供装置は、貼り合わされた香料保持体１０を開く展開部２８と、展開部２８へ香料保持体１０を送る供給部２９と、展開部２８から香料保持体１０が送られる送出部３０と、香料保持体１０を回収する回収部２２とを備える。供給部２９、展開部２８、および、送出部３０は、これらを結ぶＵ字状の搬送経路を構成し、その搬送経路の屈曲する部位に展開部２８が配置されている。
【００７９】
供給部２９は、２つの供給ローラー２９Ｒａ，２９Ｒｂや２つの供給ローラー２９Ｒａ，２９Ｒｂの各々を回転させる機構などから構成される。２つの供給ローラー２９Ｒａ，２９Ｒｂの各々の中心軸心は、水平方向に沿って並べられ、２つの供給ローラー２９Ｒａ，２９Ｒｂの間を通る香料保持体１０は、貼り付け面が水平方向に沿って配置された状態で展開部２８へ送られる。また、２つの供給ローラー２９Ｒａ，２９Ｒｂの間を通る香料保持体１０は、香料保持シート１１と気化抑制シート１２との連結部分が香料保持体１０の搬送経路における内側に配置された状態で展開部２８へ送られる。
【００８０】
展開部２８は、香料保持体１０を広げる展開ローラー２８Ｒや展開ローラー２８Ｒを回転させる機構などから構成される。展開ローラー２８Ｒの中心軸心は、鉛直方向に沿って配置され、展開ローラー２８Ｒに送られた香料保持体１０は、香料保持シート１１と気化抑制シート１２との連結部分を支点として、展開ローラー２８Ｒの外周面に沿って押し開かれる。押し開かれた香料保持体１０は、展開ローラー２８Ｒの径方向の外側に向けて香料吸収体１４が露出した状態で、展開ローラー２８Ｒの外周面に沿って送出部３０へ送られる。
【００８１】
送出部３０は、香料保持体１０を回収部２２へ送る２つの送出ローラー３０Ｒａ，３０Ｒｂや送出ローラー３０Ｒａ，３０Ｒｂを回転させる機構などから構成される。２つの送出ローラー３０Ｒａ，３０Ｒｂの各々の中心軸心は、水平方向に沿って並べられている。展開部２８から送出部３０へ送られる香料保持体１０は、香料保持シート１１に設けられた香料吸収体１４と、気化抑制シート１２に設けられた香料吸収体１４とが相互に対向する状態で、香料保持シート１１に対して気化抑制シート１２が折り重ねられる。２つの送出ローラー３０Ｒａ，３０Ｒｂの間を通る香料保持体１０は、香料保持シート１１と気化抑制シート１２との連結部分が香料保持体１０の搬送経路の内側に向けられた状態で、香料保持シート１１に対して気化抑制シート１２が押し付けられる。これにより、香料保持シート１１と気化抑制シート１２とが再び貼り合わされる。
【００８２】
供給部２９と送出部３０との間の香料保持体１０の搬送経路の距離は、基材１３の延びる方向における香料吸収体１４の長さと同程度に設定される。供給部２９と送出部３０の間では、香料保持体１０の香料吸収体１４が露出するため、香料吸収体１４から香料が気化して香りが提供される。
【００８３】
回収部２２では、回収ローラー２２Ｒの回転により、送出部３０から送られた香料保持体１０が回収ローラー２２Ｒに巻き取られて、香料保持体１０が回収室２２Ａに回収される。この際に、香料保持体１０は、モーターによって回転される回収ローラー２２Ｒの回転力を動力として、供給部２９から展開部２８、送出部３０を順に経由して回収部２２へ搬送される。
【００８４】
上記香り提供装置の作用について説明する。
まず、供給部２９に搬送される前の香料保持体１０においては、香料保持シート１１に設けられた香料吸収体１４が、気化抑制シート１２によって被われ、気化抑制シート１２に設けられた香料吸収体１４が、香料保持シート１１によって被われている。そのため、供給部２９に搬送される前の香料保持体１０では、香料吸収体１４から香料が気化することが抑えられる。
【００８５】
次いで、香料保持体１０が供給部２９を通過すると、香料保持体１０が展開部２８によって開かれて香料吸収体１４が露出して香料吸収体１４から香料が気化する。そして、展開部２８にて搬送方向が反転されて、香料保持体１０が送出部３０に到達すると、送出部３０では、香料保持シート１１と気化抑制シート１２とが再び貼り合わされることによって、香料吸収体１４から香料が気化することが抑えられる。
【００８６】
この際に、供給部２９と送出部３０との間の香料保持体１０の搬送経路の距離が、香料吸収体１４の１つ分の長さと同程度に設定されるため、供給部２９と送出部３０の間に配置された２つの香料吸収体１４のみが露出された状態となる。そして、２つの香料吸収体１４のみから香料の気化が促進され、その他の香料吸収体１４からの香料の気化が抑えられる。
【００８７】
なお、香料保持体１０の基材１３には、香料吸収体１４ごとに位置検出用マーク１５が形成され、位置検出部２４は、展開部２８と送出部３０との間に設けられて、位置検出用マーク１５の有無を検出する。
【００８８】
また、展開部２８にて香料保持体１０が開かれる態様であれば、展開部２８、供給部２９、および、送出部３０の位置や搬送方向の変換の程度は上述の形態と異なってもよい。第４の実施形態では、展開部２８によって提供部が構成され、送出部３０によって抑止部が構成され、回収ローラー２２Ｒ、および、回収ローラー２２Ｒの駆動源によって搬送部が構成されている。
【００８９】
以上説明したように、第４の実施形態によれば、上記（１），（２），（５），（６）に準じた効果に加え、以下の効果が得られる。
（７）一体に形成されたシートを二つ折りにすることによって、香料保持体１０が形成される。したがって、簡易な方法で香料保持体１０を製造することができる。
【００９０】
（第５の実施形態）
図１２〜図１４を参照して、香料保持体、および、香り提供装置の第５の実施形態について説明する。なお、第５の実施形態は、香料保持体の構成が第１の実施形態とは主に異なる。そのため、以下では、第１の実施形態との相違点について主に説明する。
【００９１】
図１２に示されるように、香料吸収体１４は、相互に異なる物質が保持される第１保持部１４ａと第２保持部１４ｂとを有している。第１保持部１４ａには、香料分子がシクロデキストリンに包接された状態で保持されている。第２保持部１４ｂには、水が保持されている。第１保持部１４ａと第２保持部１４ｂとは、香料吸収体１４内で均一に分散している。
【００９２】
図１３に示されるように、香料保持シート１１を構成する基材１３の貼り付け面には、気化抑制シートを構成する区画シート１７が貼り付けられている。区画シート１７は、収納部１３ａの内部に、複数の第１保持部１４ａと複数の第２保持部１４ｂとを区画する。区画シート１７は、粘着性を有する樹脂から形成され、貼り付け面に面する側とは反対側の面にて支持シート１８に支持されている。複数の香料吸収体１４の各々では、第１保持部１４ａに含まれる香料分子が相互に異なる。
【００９３】
図１４に示されるように、剥離部２０に搬送される前の香料保持体１０においては、第１保持部１４ａと第２保持部１４ｂとが相互に隔離された状態にある。第１保持部１４ａでは、香料分子とシクロデキストリンとの間にはたらく分子間力によって、香料分子がシクロデキストリンに包接された状態であるため、香料の気化が抑えられる。
【００９４】
ここで、剥離部２０が基材１３から支持シート１８を剥がすと、支持シート１８とともに区画シート１７が基材１３から剥がされる。基材１３から区画シート１７が剥がされると、収納部１３ａの内部では、第１保持部１４ａに保持されていた物質と第２保持部１４ｂに保持されていた物質とが相互に混ざり合う。これにより、シクロデキストリンに包接された香料分子と水とが混合され、シクロデキストリンから香料分子が徐々に解放される。その結果、香料吸収体１４から香料が気化して香りが提供される。
【００９５】
そして、香料保持体１０が貼り付け部２１に搬送されると、被覆シート１６が貼り付けられて、香料吸収体１４から香料が気化することが抑えられる。したがって、提供部に配置された香料吸収体１４のみから香料の気化が促進され、その他の香料吸収体１４からの香料の気化が抑えられる。その結果、提供部に配置された香料吸収体１４からのみ香りが提供されるため、提供される香りの精度を高めることが可能となる。
【００９６】
なお、第５の実施形態では、剥離部２０、および、載置台２３のうち剥離部２０と貼り付け部２１との間の部分によって提供部が構成されている。また、貼り付け部２１によって抑止部が構成され、回収ローラー２２Ｒ、および、回収ローラー２２Ｒの駆動源によって搬送部が構成されている。
【００９７】
以上説明したように、第５の実施形態によれば、上記（１），（２），（３）に準じた効果に加え、以下の効果が得られる。
（８）シクロデキストリンに包接された香料分子と水とが混ざることが区画シート１７によって抑えられ、これによって、香料吸収体１４から香料が気化して香りが発生することが抑えられている。したがって、香りを提供する前の香料吸収体１４からの香料の気化を、より確実に抑えることができる。
【００９８】
（変形例）
上記実施形態は、以下のように変更して実施することが可能である。
・図１５に示されるように、１つの香料吸収体１４は、香料保持体１０のうち提供部で一度に露出される部分であって、相互に分離された複数の区画領域１４ｃを有してもよいし、また、区画領域１４ｃの各々には、相互に異なる種類の液体香料が保持されていてもよい。この際に、収納部１３ａは、区画領域１４ｃごとに形成されてもよく、１つの収納部１３ａの内部に複数の区画領域１４ｃが設けられてもよい。
【００９９】
こうした構成によれば、複数の区画領域１４ｃから発生する香りが混合されて一度に提供される。一般に、複数の液体香料が予め混合されると、各液体香料に含まれる成分同士が反応して香料が劣化しやすい。これに対し、上記構成であれば、相互に異なる種類の液体香料が予め分離され、各々の液体香料からの香りが混合された香りが提供される。したがって、香料の劣化を抑えることができる。
【０１００】
・１つの香料保持体１０には、同じ種類の液体香料を保持する複数の香料吸収体１４が含まれていてもよい。
・香料保持体１０は、液体香料を保持していない収納部１３ａを含んでもよい。液体香料を保持していない収納部１３ａは、提供部で露出するときに香りを提供しない。これによれば、例えば、香料保持体１０の搬送が連続する場合であっても、香りの提供が間欠となるため、香りを提供しない期間が含まれる音声付動画に対応することが容易にもなる。
【０１０１】
・１つの香料保持体１０に備えられる香料吸収体１４の数は１つであってもよい。この場合であっても、提供部で１つの香料吸収体１４が露出するとき以外は、当該香料吸収体１４からの香料の気化が抑えられるため、提供される香りの精度が高められる。
【０１０２】
・基材１３に収納部１３ａが形成されず、基材１３の貼り付け面に香料吸収体１４が配置されてもよい。
・第１の実施形態において、香料保持体１０から剥がされた気化抑制シート１２が被覆シート１６として再び利用されてもよい。
【０１０３】
・第１の実施形態において、被覆シート１６は、気化抑制シート１２と異なる材料から形成されてもよい。例えば、気体の通過を抑えるワックスが基材１３上に塗布されることによって被覆膜が形成されて、香料吸収体１４からの香料の気化がこの被覆膜によって抑えられてもよい。
【０１０４】
・第２の実施形態において、回収室２２Ａからの香りの発生を抑制する構成は、封止部２５に限られない。例えば、香料保持体１０の基材１３における貼り付け面とは反対側の裏面にも粘着性を有し、基材１３が回収室２２Ａにて巻き取られた際に、先に巻き取られた基材１３における香料吸収体１４が、後に巻き取られる基材１３の裏面で被われてもよい。こうした構成によっても、回収室２２Ａの内部における香料吸収体１４からの香料の気化は抑えられる。
【０１０５】
・第３、第４の実施形態において、香料保持シート１１に取り付けられた香料吸収体１４と、気化抑制シート１２に取り付けられた香料吸収体１４とは、相互に対向していなくてもよい。そして、提供部では、香料保持シート１１に取り付けられた香料吸収体１４と、気化抑制シート１２に取り付けられた香料吸収体１４とのいずれか一方から香りが提供されてもよい。
【０１０６】
・第３、第４の実施形態において、相互に対向する香料吸収体１４が相互に異なる液体香料を保持していてもよい。この場合、提供部で露出する２つの香料吸収体１４からは、相互に異なる香りが混合されて提供される。
【０１０７】
・第３、第４の実施形態において、気化抑制シート１２には、香料吸収体１４が設けられていなくてもよい。
・第５の実施形態において、第１保持部１４ａと第２保持部１４ｂに保持される物質は、シクロデキストリンに包接された香料分子と水とに限られない。第１保持部１４ａと第２保持部１４ｂとには、混合されることによって香りを発生する相互に異なる２種類の物質が各別に保持されればよい。
【０１０８】
・第５の実施形態では、支持シート１８が省略されてもよい。この場合、剥離部２０は、基材１３から区画シート１７のみを剥がす。
・香料吸収体１４からの香りの発生を制御する構成は、第１〜第５の実施形態の各々の構成とそれとは異なる他の実施形態の構成との組み合わせでもよい。例えば、第１の実施形態の構成と第３の実施形態の構成との組み合わせでは、香料吸収体１４が設けられた気化抑制シート１２が剥離されることによって香りが提供され、香料保持シート１１と気化抑制シート１２との各々に被覆シート１６が貼り付けられることによって香りの発生が抑えられてもよい。
【０１０９】
・香料保持体１０の材料や形状などの形態は上述の例に限られない。例えば、気化抑制シートは、香料保持シート１１に貼り付けられることなく、香料保持シート１１に単に被せられることによって香料吸収体１４からの香りの発生が制御されてもよい。また、例えば、基材１３が円板状に形成されたシートであって、基材１３が回転することによって、香料保持体１０が提供部から抑止部へ搬送されてもよい。要は、香料保持シートと気化抑制シートとの接触と離間とによって、香料吸収体１４からの香料の気化が制御される態様であればよい。
【０１１０】
・複数の香料吸収体１４の各々に、その香料の属性を示す指標が備えられていてもよい。例えば、香料吸収体１４が保持する香料の種類や強さごとに、香料吸収体１４が異なる色に着色されていてもよい。この場合には、現在提供されている香りの種類や強さが、外部からの視認によっても把握される。なお、香料の属性を示す指標は、色の他、印刷された模様や文字、あるいは、形状などであってもよい。また、香料吸収体１４に埋め込まれたＩＣチップが指標としての機能を備え、例えば、ＩＣチップが有するＩＤの読み取りによって香料の属性が把握される構成としてもよい。香料の属性には、香料の種類や強さ、保障期間などが含まれる。
【０１１１】
・香料保持シート１１の搬送には、回収ローラー２２Ｒの回転に限らず、他のローラーの回転が動力として用いられてもよい。また、香料保持シート１１の搬送には、これらのローラーの回転とは別に、他の動力が用いられてもよい。また、香料保持シート１１を搬送するための動力源は、例えば、ぜんまいバネなどであってもよい。この場合には、香り提供装置の構成が簡素になるため、香り提供装置の製造にかかる費用を削減することができる。
【０１１２】
・回収部２２による回収の態様は香料保持体１０を巻き取る態様に限られない。また、回収部２２が設けられず、香りを提供した香料保持体１０が回収されなくてもよい。
・香料保持体１０は、ローラーなどに巻きつけられた状態で提供部に供給されてもよい。
【０１１３】
・香り提供装置には、香料の気化を促す送風を行う送風部がさらに備えられてもよい。例えば、第３の実施形態においては、香料保持シート１１と気化抑制シート１２との間に送風が行われることにより、香りの提供が促進される。
【０１１４】
・提供部に配置される香料吸収体１４を加熱するヒーターなどから構成される気化部加熱部がさらに設けられてもよい。この構成によれば、提供部に配置される香料吸収体１４が気化部加熱部によって加熱される。その結果、提供部に配置される香料吸収体１４からの香料の気化が加熱によって促進されて、提供される香りの濃度が高められる。
【０１１５】
・提供部の近傍の空気を加熱するヒーターなどから構成される空気加熱部が設けられてもよい。空気加熱部は、提供部の近傍の空気を加熱によって上昇させて香料吸収体１４からの香りを空気によって上方に導く。この構成によれば、提供部の近傍の空気が加熱されるため、提供部の近傍に上昇気流が発生して、香料吸収体１４から気化した香料が上昇気流によって効率的に運ばれる。なお、香りを運ぶために送風部が用いられる場合には、香りを運ぶ効率を高めるために送風量を増大させると、空気量が多くなって結果的に香りが弱まるという問題がある。これに対し、上述のように加熱によって上昇気流を発生させれば、香りが弱まることを抑えながら効率よく香りを提供することができる。
【０１１６】
なお、香り提供装置は、上記気化部加熱部と空気加熱部との双方を備えてもよいし、気化部加熱部および空気加熱部のいずれか一方のみを備えてもよい。また、１つの加熱部が気化部加熱部と空気加熱部とを兼ねてもよい。この際に、気化部加熱部が備えられる構成では、加熱部による加熱が停止された後も、気化部加熱部によって加熱された香料吸収体１４が十分に冷却されるまで香料の気化が促進される。これに対して、空気加熱部のみが備えられる構成であれば、気化部加熱部によって香料吸収体１４が加熱される場合に比べて、加熱部による加熱が停止された後に、香料吸収体１４からの香料の気化が抑えられる。結果として、空気加熱部のみが備えられる構成であれば、保持体加熱部が備えられる構成に比べて、加熱の停止に対する香りの提供の応答性が高められる。
【０１１７】
・位置検出用マーク１５と位置検出部２４の構成は、光学的に位置検出用マーク１５を読み取る構成に限らず、磁気やＩＣを利用して位置検出用マーク１５の位置を読み取る構成であってもよい。
【０１１８】
・相互に隣り合う香料吸収体１４の間の間隔などに基づいて、モーターＭの駆動量が予め設定される場合には、位置検出用マーク１５と位置検出部２４が設けられていなくてもよい。
【０１１９】
・制御部４０が受信する香り特定情報は、音声付動画に限らず、音声のみや、表示される静止画などのコンテンツに対応して規定される情報であってもよい。また、コンテンツと香り特定情報は、予め、香り提供装置に記憶されていてもよい。あるいは、香料保持体１０にＩＣチップが備えられ、ＩＣチップにコンテンツと香り特定情報が記憶されていてもよい。この場合、香りつきコンテンツとして、コンテンツと提供される香りの情報と香りの発生源とが一元化されて管理される。
【０１２０】
・香り提供装置は、音声付動画の進行に応じて予め設定された香りを提供する装置に限らず、時間や場所、その他の要素に応じて予め設定された香りを提供する装置であってもよい。また、香り提供装置の利用される態様は、人体に装着されて利用される態様に限らず、香りが提供される設備などに設置されて利用される態様であってもよい。
【符号の説明】
【０１２１】
１０…香料保持体、１１…香料保持シート、１２…気化抑制シート、１３…基材、１４…香料吸収体、１５…位置検出用マーク、１６…被覆シート、１７…区画シート、１８…支持シート、２０…剥離部、２１…貼り付け部、２２…回収部、２２Ａ…回収室、２３…載置台、２４…位置検出部、２５…封止部、２６…分離部、２７…接着部、２８…展開部、２９…供給部、３０…送出部、４０…制御部。
【図１】
2014136125.tif 000003
【図２】
2014136125.tif 000004
【図３】
2014136125.tif 000005
【図４】
2014136125.tif 000006
【図５】
2014136125.tif 000007
【図６】
2014136125.tif 000008
【図７】
2014136125.tif 000009
【図８】
2014136125.tif 000010
【図９】
2014136125.tif 000011
【図１０】
2014136125.tif 000012
【図１１】
2014136125.tif 000013
【図１２】
2014136125.tif 000014
【図１３】
2014136125.tif 000015
【図１４】
2014136125.tif 000016
【図１５】
2014136125.tif 000017